(57)【要約】  【課題】  硬貨払出動作中に動作停止を伴う異常が発生した際、硬貨処理装置を自動販売機等の装置に搭載した状態においても、カセット式硬貨収容部の取り外しおよび装着が可能である硬貨処理装置を提供する。  【解決手段】  カセット式硬貨収容部から外部に出没自在であってかつ突出時には前記カセット式硬貨収容部を着脱する際の揺動支持部材となる突起部と、該突起部を出没動作させるよう前記カセット式硬貨収容部の前面に設けた操作部と、装置本体を構成する筐体または装置下方部を塞ぐボトムベースに形成されて前記突起部の突出時に該突起部に係合して前記カセット式硬貨収容部を前記筐体に揺動支持する係止部とを具える。【選択図】  図４
2012133479.tif 000002
【特許請求の範囲】
【請求項１】
装置本体を構成する筐体と、
前記筐体から着脱自在であるカセット式硬貨収容部と、
前記筐体から着脱自在であって装着時に装置下方部を塞ぐボトムベースと
を具え、
前記カセット式硬貨収容部は、
金種毎に用意された複数本の硬貨収容筒と、
該硬貨収容筒の下方域に固着されたコインベースと、
前記硬貨収容筒と前記コインベースとの間にスライド自在に支承されて前記複数の硬貨収容筒全ての最下層にある硬貨を一枚ずつ同時に引き出すペイアウトスライドと
を有する硬貨処理装置において、
前記カセット式硬貨収容部から外部に出没自在であってかつ突出時には前記カセット式硬貨収容部を着脱する際の揺動支持部材となる突起部と、
該突起部を出没動作させるよう前記カセット式硬貨収容部の前面に設けた操作部と、
前記筐体または前記ボトムベースに形成されて前記突起部の突出時に該突起部に係合して前記カセット式硬貨収容部を前記筐体に揺動支持する係止部と
を具えることを特徴とする硬貨処理装置。
【請求項２】
前記突起部は、前記カセット式硬貨収容部の下部の両側面に左右水平方向に出没自在に設けられ、
前記係止部は、前記筐体下部の両側面に設けられることを特徴とする請求項１に記載の硬貨処理装置。
【請求項３】
前記突起部は、前記カセット式硬貨収容部の底面に上下方向に出没自在に設けられ、
前記係止部は、前記ボトムベース上面に設けられることを特徴とする請求項２に記載の硬貨処理装置。
【発明の詳細な説明】
【技術分野】
【０００１】
本発明は、自動販売機、両替機、サービス機器等の装置内部に配設された硬貨処理装置に関し、特に硬貨処理装置本体に着脱自在に装着されるカセット式硬貨収容部を有する硬貨処理装置に関する。
【背景技術】
【０００２】
一般に、自動販売機、両替機、サービス機器等の機器内部には、投入硬貨の真偽を判別して正貨を金種別に選別収容するとともに、この選別収容された硬貨を釣銭として払い出す硬貨処理装置が搭載されている。
【０００３】
この従来の硬貨処理装置１０は、図８に示すように、主に、装置本体を構成する筐体２０と、投入硬貨の正偽を判別して正貨を金種別に選別する硬貨選別装置３０（図１１Ｂ等参照）と、該硬貨選別部から落下する硬貨を積載収納するための硬貨収容部を構成するカセット式硬貨収容部４０と、硬貨処理装置１０の下方部を塞ぐボトムベース５０とから構成され、これら硬貨選別装置３０とカセット式硬貨収容部４０とボトムベース５０とは、それぞれ筐体２０に対して着脱自在に装着されるものである。
【０００４】
上記カセット式硬貨収容部４０は、図８および図９に示すように、主に、硬貨選別装置３０から落下する硬貨を積載収納するための直線的かつ並列に設けられた複数の硬貨収納筒４１と、カセット式硬貨収容部４０の下方部を塞ぐように硬貨収容筒４１の下方域にねじ等で固着されたコインベース４２と、硬貨収容筒４１の下端とコインベース４２との間にスライド自在に支承され、複数の硬貨収納筒４１全ての最下層にある硬貨を一枚ずつ引き出すペイアウトスライド４３とから構成され、カセット式硬貨収容部４０の上部を筐体２０に係止または解除するラッチ機構４４と、取り外しおよび装着の際に指を挿入して引っかけるために硬貨収容筒４１の前面に形成された引っかけ孔４５とをさらに具えている（図１１Ｂ等参照）。
【０００５】
また、筐体２０の下部には、図８および図１０に示すように、図示せぬ駆動モーターにより矢印Ａ方向に回動する円板形状のモーターカム２１と、このモーターカム２１に連動して矢印Ｂ方向に往復スライド移動するペイアウトリンク２２と、各硬貨収容筒４１毎に配設されてペイアウトスライド４３より引き出された硬貨の下面支持とその解除とを選択的に行って硬貨の払い出しと非払い出しとを制御するチェンジスライド２３と、チェンジスライド２３の移動可否を決める硬貨選択ソレノイド２４とが配設される。
【０００６】
そして、カセット式硬貨収容部４０が筐体２０に装着された状態において、ペイアウトスライド４３に形成された孔４３ａとペイアウトリンク２２に設けられた凸部２２ａとが互いに凹凸嵌着して連結されて、ペイアウトスライド４３はペイアウトリンク２２を介してモーターカム２１に連動して、上述するように、硬貨収容筒４１の下端とコインベース４２との間を、図１０に示す矢印Ｂ方向に往復スライド移動するようにしている。
【０００７】
硬貨払出時において、ペイアウトスライド４３によって引き出された硬貨は、コインベース４２から外れて落下して、図８に示すボトムベース５０に形成された通路５０ａを通って放出される。
【０００８】
なお、このボトムベース５０は、図９に示すボトムベース５０の両側面に形成される凸部５０ｂを、筐体２０下部の両側面に形成される切欠部２０ａに係合することによって、筐体２０へ装着されるものである。
【０００９】
このような硬貨処理装置１０は、図１１Ａおよび図１１Ｂに示すように、待機状態（ペイアウトスライド４３がカセット式硬貨収容部４０内に収納された状態）において、ラッチ機構４４を操作して筐体２０とカセット式硬貨収容部４０の上部との係合を解除するとともに、カセット式硬貨収容部４０の下方部を構成するコインベース４２の前面にが形成された切欠部４２ａと、ボトムベース５０前面の上縁に上方に向かって形成された外れ止め爪５０ｃとを軸としてカセット式硬貨収容部４０を回転させると、ペイアウトスライドの孔４３ａがペイアウトリンクの凸部２２ａから外れて、カセット式硬貨収容部４０を筐体２０から取り外すことができる。
【００１０】
この時、ペイアウトスライド４３をカセット式硬貨収容部４０内に収納した状態のままカセット式硬貨収容部４０を取り外すため、カセット式硬貨収容部４０内の最下層の各硬貨はペイアウトスライド４３にガイドされた状態を保持するので、硬貨収容筒４１内に収容された硬貨が硬貨払出孔４２ｂから落下することはない。
【００１１】
上述のように、従来の硬貨処理装置１０は、カセット式硬貨収容部４０を着脱できる構成にすることによって、釣銭用硬貨の補充および硬貨収容筒４１内の残留硬貨の回収を容易にしている。
【００１２】
ところで、従来の硬貨処理装置１０において、硬貨払出動作中に、動作停止を伴う異常が発生した場合は、ペイアウトスライド４３がカセット式硬貨収容部４０から引き出された状態のまま、ペイアウトスライドの孔４３ａおよびペイアウトリンクの凸部２２ａが筐体２０の内部に取り残される。
【００１３】
すると、ペイアウトスライドの孔４３ａとペイアウトリンクの凸部２２ａとの係合を解除することができず、ボトムベース５０の外れ止め５２を支点にしてカセット式硬貨収容部４０を回転させることができないので、筐体２０からカセット式硬貨収容部４０を取り外すことができない。
【００１４】
そこで、従来では、図１２Ａおよび図１２Ｂに示すように、ボトムベース５０を筐体２０から取り外し、コインベースの切欠部４２ａとボトムベースの外れ止め爪５０ｃとの係合を解除してカセット式硬貨収容部４０を前方水平に引き出すことによって、ペイアウトスライド４３の一部を筐体２０の内部に残した状態でも、カセット式硬貨収容部４０の取り外しができるようにしている。
【先行技術文献】
【特許文献】
【００１５】
【特許文献１】実公昭６３−３９７９５号公報
【特許文献２】実開昭６０−３９１８１号公報
【発明の概要】
【発明が解決しようとする課題】
【００１６】
しかしながら、硬貨処理装置が搭載される自動販売機等の装置内部には、硬貨処理装置の底面部に硬貨処理装置から払い出された硬貨を案内するための通路が配設されており、上述したボトムベースを筐体から取り外すためには、硬貨処理装置そのものを自動販売機等から取り外す必要がある。
【００１７】
この方法は、非常に不便であり、硬貨詰まりやその要因解消等の修理、保守点検の作業等を迅速に行うのに支障を来たす虞がある。
【００１８】
そこで、本発明は、硬貨払出動作中に動作停止を伴う異常が発生した際、硬貨処理装置を自動販売機等の装置に搭載した状態においても、カセット式硬貨収容部の取り外しおよび装着が可能である硬貨処理装置を提供することを目的とする。
【課題を解決するための手段】
【００１９】
上述した課題を解決するため、本発明の硬貨処理装置では、カセット式硬貨収容部から外部に出没自在であってかつ突出時には前記カセット式硬貨収容部を着脱する際の揺動支持部材となる突起部と、該突起部を出没動作させるよう前記カセット式硬貨収容部の前面に設けた操作部と、装置本体を構成する筐体または装置下方部を塞ぐボトムベースに形成されて前記突起部の突出時に該突起部に係合して前記カセット式硬貨収容部を前記筐体に揺動支持する係止部とを具えている。
【発明の効果】
【００２０】
本発明の硬貨処理装置では、上記構成により、筐体またはボトムベースとの係合と解除とを硬貨処理装置前面から操作可能であり、待機状態においては、ペイアウトスライドをカセット式硬貨収容部内に収納した状態のまま、突起部および係止部を支点として回転させて、カセット式硬貨収容部を筐体から取り外し、かつ、硬貨払出途中の動作停止時においては、ペイアウトスライドの一部を筐体内に残したまま、カセット式硬貨収容部を前方水平に引き出して、カセット式硬貨収容部を筐体から取り外すようにしたから、硬貨払出動作中に動作停止を伴う異常が発生した際、硬貨処理装置を自動販売機等の装置に搭載した状態においても、カセット式硬貨収容部の取り外しおよび装着が可能である硬貨処理装置を提供することができる。
【図面の簡単な説明】
【００２１】
【図１】本発明に係る硬貨処理装置下部の概略側断面図。
【図２】待機状態におけるカセット式硬貨収容部の取り外しを示す硬貨処理装置下部の概略側断面図。
【図３】硬貨払出途中の動作停止時におけるカセット式硬貨収容部の取り外しを示す硬貨処理装置下部の概略側断面図。
【図４】第１の実施形態の硬貨処理装置の概略分解斜視図。
【図５Ａ】待機状態におけるカセット式硬貨収容部の取り外しを示す第１の実施形態の硬貨処理装置の概略斜視図。
【図５Ｂ】硬貨払出途中の動作停止時におけるカセット式硬貨収容部の取り外しを示す第１の実施形態の硬貨処理装置の概略斜視図。
【図６】第２の実施形態の硬貨処理装置の概略分解斜視図。
【図７Ａ】待機状態におけるカセット式硬貨収容部の取り外しを示す第２の実施形態の硬貨処理装置の概略斜視図。
【図７Ｂ】硬貨払出途中の動作停止時におけるカセット式硬貨収容部の取り外しを示す第２の実施形態の硬貨処理装置の概略斜視図。
【図８】従来の硬貨処理装置下部の概略側断面図。
【図９】従来の硬貨処理装置におけるカセット式硬貨収容部およびその周辺部の分解斜視図。
【図１０】従来の硬貨処理装置下方に配設された硬貨払出機構の斜視図。
【図１１Ａ】待機状態におけるカセット式硬貨収容部の取り外しを示す従来の硬貨処理装置下部の概略側断面図。
【図１１Ｂ】待機状態におけるカセット式硬貨収容部の取り外しを示す従来の硬貨処理装置の概略斜視図。
【図１２Ａ】硬貨払出途中の動作停止時におけるカセット式硬貨収容部の取り外しを示す従来の硬貨処理装置下部の概略側断面図。
【図１２Ｂ】硬貨払出途中の動作停止時におけるカセット式硬貨収容部の取り外しを示す従来の硬貨処理装置の概略斜視図。
【発明を実施するための形態】
【００２２】
以下、本発明に係る硬貨処理装置の実施例を示して詳述する。
【００２３】
図１に示す硬貨処理装置１０は、従来と同様に、主に、装置本体を構成する筐体２０と、投入硬貨の正偽を判別して正貨を金種別に選別する硬貨選別装置３０（図５Ｂ等参照）と、該硬貨選別部から落下する硬貨を積載収納するための硬貨収容部を構成するカセット式硬貨収容部４０と、硬貨処理装置１０の下方部を塞ぐボトムベース５０とから構成され、これら硬貨選別装置３０とカセット式硬貨収容部４０とボトムベース５０とは、それぞれ筐体２０に対して着脱自在に装着されるものである。
【００２４】
上記カセット式硬貨収容部４０は、主に、硬貨選別装置３０から落下する硬貨を積載収納するための直線的かつ並列に設けられた複数の硬貨収納筒４１と、カセット式硬貨収容部４０の下方部を塞ぐように硬貨収容筒４１の下方域にねじ等で固着されたコインベース４２と、硬貨収容筒４１の下端とコインベース４２との間にスライド自在に支承され、複数の硬貨収納筒４１全ての最下層にある硬貨を一枚ずつ引き出すペイアウトスライド４３とから構成され、カセット式硬貨収容部４０の上部を筐体２０に係止または解除する第１のラッチ機構４４と、取り外しおよび装着の際に指を挿入して引っかけるために硬貨収容筒４１の前面に形成された引っかけ孔４５とをさらに具えている（図５Ｂ等参照）。
【００２５】
また、筐体２０の下部には、図示せぬ駆動モーターにより回動する図示せぬ円板形状のモーターカムと、このモーターカムに連動して図面左右方向に往復スライド移動するペイアウトリンク２２と、各硬貨収容筒４１毎に配設されてペイアウトスライド４３より引き出された硬貨の下面支持とその解除とを選択的に行って硬貨の払い出しと非払い出しとを制御するチェンジスライド２３と、チェンジスライド２３の移動可否を決める硬貨選択ソレノイド２４とが配設される。
【００２６】
そして、カセット式硬貨収容部４０が筐体２０に装着された状態において、ペイアウトスライド４３とペイアウトリンク２２とが互いに凹凸嵌着して連結されて、ペイアウトスライド４３はペイアウトリンク２２を介して前記図示せぬモーターカムに連動して、上述するように、硬貨収容筒４１の下端とコインベース４２との間を、図面左右方向に往復スライド移動するようにしている。
【００２７】
硬貨払出時において、ペイアウトスライド４３によって図面水平右方に引き出された硬貨は、コインベース４２から外れて硬貨払出孔４２ｂから落下して、ボトムベース５０に形成された通路５０ａを通って放出される。
【００２８】
なお、このボトムベース５０は、ボトムベース５０の両側面に形成される凸部５０ｂを、筐体２０下部の両側面に形成される切欠部２０ａに係合することによって、筐体２０へ装着されるものである（図５Ｂ等参照）。
【００２９】
このように、本発明による硬貨処理装置１０の基本的な構成は、上述した従来のものと同様であるが、本発明においては、カセット式硬貨収容部４０の装着および取り外しに係る構成および方法が大きく異なっている。
【００３０】
本願の硬貨処理装置１０は、待機状態（ペイアウトスライド４３がカセット式硬貨収容部４０内に収納された状態）においては、第１のラッチ機構４４（図５Ｂ等参照）を操作して筐体２０とカセット式硬貨収容部４０との係合を解除するとともに、図２に示すように、ペイアウトスライド４３をカセット式硬貨収容部４０内に収納した状態のまま、カセット式硬貨収容部４０の前面の下縁を支点として回転させて、カセット式硬貨収容部４０を筐体２０から取り外すようにしている。
【００３１】
これは、従来のものと同様に、カセット式硬貨収容部４０内の最下層の各硬貨をペイアウトスライド４３にガイドされた状態に保持して、硬貨収容筒４１内に収容された硬貨が硬貨払出孔４２ｂから落下することを防ぐためである。
【００３２】
そして、図３に示すように、硬貨払出動作中に、ペイアウトスライド４３がカセット式硬貨収容部４０から引き出された状態で、動作停止を伴う異常が発生した場合においては、ペイアウトスライド４３の一部を筐体２０内に残したまま、カセット式硬貨収容部４０を前方水平（図３における図面右方向）に引き出して、カセット式硬貨収容部４０を筐体２０から取り外すようにしている。
【００３３】
この際、本発明による硬貨処理装置１０では、従来のものとは異なり、ボトムベース５０を筐体２０から取り外す必要はない。
【００３４】
待機状態においてはカセット式硬貨収容部４０を回転させて取り外し、かつ、硬貨払出途中の動作停止時においてはカセット式硬貨収容部４０を水平方向に引き出して取り外すようにした上述の構成を実現するため、本発明の第１の実施形態では、図４に示すように、カセット式硬貨収容部４０下部の両側部にそれぞれ第２のラッチ機構６０を設けている。
【００３５】
この第２のラッチ機構６０は、カセット式硬貨収容部４０の前面に設けた操作部６１と、操作部６１の操作によってカセット式硬貨収容部４０の下部の両側面外部に出没自在に設けたピン形状の突起部６２とを有しており、カセット式硬貨収容部４０が筐体２０に装着されている状態においては、各突起部６２がカセット式硬貨収容部４０の両側方に突出して、筐体２０下部の両側面に形成された切欠である係止部２０ｂと係合して、カセット式硬貨収容部４０の下部を筐体２０に揺動自在に支持させる。
【００３６】
上記第１の実施形態によると、図２に示す待機状態においては、図５Ａに示すように、突起部６２がカセット式硬貨収容部４０の両側方に突出して、筐体２０下部の両側面に形成された係止部２０ｂと係合しているので、第１のラッチ機構４４を操作してカセット式硬貨収容部４０の上部との係合を解除すると、２つの突起部６２を支点にして、カセット式硬貨収容部４０を回転させて、カセット式硬貨収容部４０を筐体２０から取り外すことができる。
【００３７】
一方、図３に示す硬貨払出途中の動作停止時においては、図５Ｂに示すように、操作部６１を左右内側方向にスライドすると、突起部６２がカセット式硬貨収容部４０の内部に収容されて、突起部６２と筐体の係止部２０ｂとの係合は解除されるので、カセット式硬貨収容部４０を前方水平に引き出して、カセット式硬貨収容部４０を筐体２０から取り外すことができる。
【００３８】
また、本発明の第２の実施形態では、図６に示すように、カセット式硬貨収容部４０の下部に第２のラッチ機構７０を設けている。
【００３９】
この第２のラッチ機構７０は、カセット式硬貨収容部４０の前面に設けた操作部７１と、操作部７１の操作によってカセット式硬貨収容部４０の底面下方に出没自在に設けた２つの舌片状の突起部７２とを有しており、カセット式硬貨収容部４０が筐体２０に装着されている状態においては、２つの突起部７２がカセット式硬貨収容部４０の下方に突出して、ボトムベース５０の上面に形成された２つの凹形状の係止部５０ｄに嵌入して、カセット式硬貨収容部４０の下部を筐体２０に揺動自在に支持させる。
【００４０】
上記第２の実施形態によると、図２に示す待機状態においては、図７Ａに示すように、２つの突起部７２がカセット式硬貨収容部４０の下方に突出して、ボトムベース５０の上面に形成された２つの係止部５０ｄに嵌入しているので、第１のラッチ機構４４を操作してカセット式硬貨収容部４０の上部との係合を解除すると、突起部７２とボトムベースの係止部５０ｄとを支点にして、カセット式硬貨収容部４０を回転させて、カセット式硬貨収容部４０を筐体２０から取り外すことができる。
【００４１】
一方、図３に示す硬貨払出途中の動作停止時においては、図７Ｂに示すように、操作部７１を上方向にスライドすると、２つの突起部７２がカセット式硬貨収容部４０の内部に収容されて、突起部７２とボトムベースの係止５０ｄとの係合は解除されるので、カセット式硬貨収容部４０を前方水平に引き出して、カセット式硬貨収容部４０を筐体２０から取り外すことができる。
【００４２】
このように、本発明の硬貨処理装置では、カセット式硬貨収容部の下部に出没自在であってかつ突出時には前記カセット式硬貨収容部を着脱する際の揺動支持部材となる突起部と、該突起部を出没動作させるよう前記カセット式硬貨収容部の前面に設けた操作部とを有しており、筐体またはボトムベースとの係合と解除とを硬貨処理装置前面から操作可能にしているので、待機状態においては、ペイアウトスライドをカセット式硬貨収容部内に収納した状態のまま、突起部および係止部を支点として回転させて、カセット式硬貨収容部を筐体から取り外し、かつ、硬貨払出途中の動作停止時においては、ペイアウトスライドの一部を筐体内に残したまま、カセット式硬貨収容部を前方水平に引き出して、カセット式硬貨収容部を筐体から取り外すことができる。
【００４３】
これによって、本発明の硬貨処理装置では、硬貨払出動作中に動作停止を伴う異常が発生した際、硬貨処理装置を自動販売機等の装置に搭載した状態においても、カセット式硬貨収容部の取り外しおよび装着が可能である硬貨処理装置を提供することができる。
【００４４】
なお、従来の硬貨処理装置において、例えば実公昭６３−３９７９５号公報に記載のカセット式コインチューブには、その前面と各コインチューブとの間に有効利用できる空間があったため、この事情を鑑み、本発明の上記実施例においては、カセット式硬貨収容部側に出没自在である突起部と操作部とを設けたが、筐体側あるいはボトムベース側に出没自在の突起部を設けて、カセット式硬貨収容部側に前記突起部と係合する凹部または孔を設けるようにしても構わない。
【００４５】
また、他の同様な実施形態についても同様に、本発明から逸脱することなく本発明特有の機能を有する形態、すなわち、待機状態においてはカセット式硬貨収容部を回転させて取り外し、かつ、硬貨払出途中の動作停止時においてはカセット式硬貨収容部を水平方向に引き出して取り外すようにしたものであれば、説明した実施形態に変更や追加を行ってもよい。
【００４６】
したがって、特許請求の範囲に記載された本発明はいずれかの単一の実施形態に限定されないことは言うまでもない。
【符号の説明】
【００４７】
１０……硬貨処理装置
２０……筐体
２０ｂ…係止部（切欠）
４０……カセット式硬貨収容部
４１……硬貨収容筒
４２……コインベース
４３……ペイアウトスライド
４４……（第１の）ラッチ機構
５０……ボトムベース
５０ｄ…係止部（凹形状）
６０……第２のラッチ機構
６１……操作部
６２……突起部（ピン形状）
７０……第２のラッチ機構
７１……操作部
７２……突起部（舌片状）
【図１】
2012133479.tif 000003
【図２】
2012133479.tif 000004
【図３】
2012133479.tif 000005
【図４】
2012133479.tif 000006
【図５Ａ】
2012133479.tif 000007
【図５Ｂ】
2012133479.tif 000008
【図６】
2012133479.tif 000009
【図７Ａ】
2012133479.tif 000010
【図７Ｂ】
2012133479.tif 000011
【図８】
2012133479.tif 000012
【図９】
2012133479.tif 000013
【図１０】
2012133479.tif 000014
【図１１Ａ】
2012133479.tif 000015
【図１１Ｂ】
2012133479.tif 000016
【図１２Ａ】
2012133479.tif 000017
【図１２Ｂ】
2012133479.tif 000018